(57)【要約】【課題】妨害磁界等を用いなくても、カードから磁気情報が不正に取得されることを抑制することのできるカードリーダを提供すること。【解決手段】カードリーダ１は、一方面Ｃ１に情報が記録される磁気記録層Ｃ５が形成されたカードＣを保持するトレイ２と、トレイ２が出入りするトレイ出入り口１１、および磁気ヘッドを備えた装置本体１０とを有している。トレイ出入り口１１から外側Ｚ２に突出したトレイ２にカードＣを投入した際、磁気記録層Ｃ５のうち、データが記録されたデータ記録領域の少なくとも一部がトレイ出入り口１１より装置本体１０の内側に位置する。また、トレイ２は、トレイ出入り口１１から外側Ｚ２への突出方向における端部に、カードＣの一方面Ｃ１より突出した第３側板部２４を備えている。【選択図】図２
2018073018.tif 000002
【特許請求の範囲】
【請求項１】
少なくとも一方面に情報が記録される磁気記録層が形成されたカードが投入されるトレイと、
前記トレイが出入りするトレイ出入り口、および前記トレイに保持された状態で前記トレイ出入り口から内部に投入された前記カードの前記磁気記録層から少なくとも情報の読み取りを行う磁気ヘッドを備えた装置本体と、
を有し、
前記トレイ出入り口から外部に突出した前記トレイに前記カードを投入した際、前記磁気記録層のうち、データが記録されたデータ記録領域の少なくとも一部が前記トレイ出入り口より前記装置本体の内側に位置することを特徴とするカードリーダ。
【請求項２】
前記トレイは、前記トレイ出入り口から外側への突出方向における端部に、前記カードの前記一方面より突出した板部を備えていることを特徴とする請求項１に記載のカードリーダ。
【請求項３】
前記トレイが取り外されたことを検出するトレイ検出機構が設けられていることを特徴とする請求項１または２に記載のカードリーダ。
【請求項４】
前記トレイは、前記カードの有無を検出するカード検出機構を有していることを特徴とする請求項１から３までの何れか一項に記載のカードリーダ。
【請求項５】
前記装置本体は、前記磁気ヘッドによって前記カードの前記磁気記録層から情報を読み出す位置まで前記トレイを搬送するトレイ搬送機構を有していることを特徴とする請求項１から４までの何れか一項に記載のカードリーダ。
【請求項６】
前記トレイに保持された前記カードの前記トレイの搬送方向に対して直交する幅方向の位置を規定する位置決め機構を有していることを特徴とする請求項５に記載のカードリーダ。
【請求項７】
前記位置決め機構は、前記トレイの前記幅方向の一方側に設けられた第１側板部と、前記カードが前記第１側板部に当接するように前記カードを付勢する付勢機構と、を有していることを特徴とする請求項６に記載のカードリーダ。
【請求項８】
前記トレイは、前記幅方向の他方側で前記幅方向に移動可能な第２側板部を備え、
前記付勢機構は、前記第２側板部を介して前記カードを前記第１側板部に向けて付勢することを特徴とする請求項７に記載のカードリーダ。
【請求項９】
前記磁気記録層は、前記幅方向では前記第１側板部に近い位置で前記トレイの搬送方向に沿ってストライプ状に延在していることを特徴とする請求項７または８に記載のカードリーダ。
【請求項１０】
前記カードは、前記一方面を前記トレイの底板部に向けた状態で前記トレイに収容され、
前記底板部には、前記磁気記録層を露出させる開口部が設けられていることを特徴とする請求項５から９までの何れか一項に記載のカードリーダ。
【請求項１１】
前記装置本体は、前記トレイから前記カードを受け取って前記磁気ヘッドによって前記カードの前記磁気記録層から情報を読み出す位置まで前記カードを搬送するカード搬送機構を有していることを特徴とする請求項１から４までの何れか一項に記載のカードリーダ
。
【請求項１２】
前記カードは、前記トレイに投入された状態で、前記装置本体の前記カード搬送機構による搬送方向の奥側に向かって前記トレイから突出していることを特徴とする請求項１１に記載のカードリーダ。
【発明の詳細な説明】
【技術分野】
【０００１】
本発明は、カードの磁気記録層から情報の読み取り等を行うカードリーダに関するものである。
【背景技術】
【０００２】
磁気情報が記録されたカード（カード状媒体）から情報の読み取り等を行うカードリーダに対して、カード挿入口の外側に磁気ヘッド（スキミングヘッド）を取り付けて不正に磁気情報を取得する不正行為が行われることがある。このような不正行為への対策として、挿入口の外側の領域に妨害磁界を発生させる技術が提案されている（特許文献１参照）。
【先行技術文献】
【特許文献】
【０００３】
【特許文献１】特開２０１６−１４９８６号公報
【発明の概要】
【発明が解決しようとする課題】
【０００４】
特許文献１に記載の技術のように、妨害磁界を発生するための装置を設けても、妨害磁界を解析されて妨害磁界の影響を回避されると、不正行為を阻止することが困難である。また、スキミングヘッドの有無をセンサによって検出する方法が考えられるが、センサによる検出を避けるようにスキミングヘッドを設置された場合には、不正行為を阻止することが困難である。
【０００５】
以上の問題点に鑑みて、本発明の課題は、妨害磁界等を用いなくても、カードから磁気情報が不正に取得されることを抑制することのできるカードリーダを提供することにある。
【課題を解決するための手段】
【０００６】
上記課題を解決するため、本発明にカードリーダは、少なくとも一方面に情報が記録される磁気記録層が形成されたカードが投入されるトレイと、前記トレイが出入りするトレイ出入り口、および前記トレイに保持された状態で前記トレイ出入り口から内部に投入された前記カードの前記磁気記録層から少なくとも情報の読み取りを行う磁気ヘッドを備えた装置本体と、を有し、前記トレイ出入り口から外部に突出した前記トレイに前記カードを投入した際、前記磁気記録層のうち、データが記録されたデータ記録領域の少なくとも一部が前記トレイ出入り口より前記装置本体の内側に位置することを特徴とする。
【０００７】
本発明では、トレイ出入り口から突出したトレイにカードを投入し、この状態でトレイがトレイ出入り口から装置本体の内部に移動することにより、カードが装置本体の内部に投入される。従って、トレイ出入り口の周辺にスキミングヘッドを設けるには、トレイとの干渉を避ける必要があるので、スキミングヘッドを設けにくい。また、トレイ出入り口から外部に突出したトレイにカードを投入した際、磁気記録層のうち、データ記録領域の少なくとも一部がトレイ出入り口より装置本体の内側に位置するため、たとえ、トレイ出入り口の周辺にスキミングヘッドを設けた場合でも、スキミングヘッドは、一部の情報しか取得することができない。従って、情報の再現が困難であるので、妨害磁界等を用いなくても、カードから情報が不正に読み取られることを抑制することができる。
【０００８】
本発明において、前記トレイは、前記トレイ出入り口から外側への突出方向における端
部に、前記カードの前記一方面より突出した板部を備えている態様を採用することができる。かかる態様によれば、トレイ出入り口の周辺では、カードの一方面の側にスキミングヘッドを設けにくい。
【０００９】
本発明において、前記装置本体は、前記トレイが取り外されたことを検出するトレイ検出機構を有している態様を採用することができる。かかる態様によれば、不正を行おうとする者によって、スキミングヘッドを設けた偽のトレイに交換されようとした場合でも、かかる行為を監視することができる。
【００１０】
本発明において、前記トレイは、前記カードの有無を検出するカード検出機構を有している態様を採用することができる。かかる態様によれば、トレイにカードが投入されたか否か等を監視することができる。
【００１１】
本発明において、前記装置本体は、前記磁気ヘッドによって前記カードの前記磁気記録層から情報を読み出す位置まで前記トレイを搬送するトレイ搬送機構を有している態様を採用することができる。
【００１２】
本発明において、前記トレイに保持された前記カードの前記トレイの搬送方向に対して直交する幅方向の位置を規定する位置決め機構を有している態様を採用することができる。かかる態様によれば、カードを幅方向の所定位置に配置することができるので、磁気ヘッドは、カードから情報を適正に読み取ることができる。
【００１３】
本発明において、前記位置決め機構は、前記トレイの前記幅方向の一方側に設けられた第１側板部と、前記カードが前記第１側板部に当接するように前記カードを付勢する付勢機構と、を有している態様を採用することができる。
【００１４】
本発明において、前記トレイは、前記幅方向の他方側で前記幅方向に移動可能な第２側板部を備え、前記付勢機構は、前記第２側板部を介して前記カードを前記第１側板部に向けて付勢する態様を採用することができる。
【００１５】
本発明において、前記磁気記録層は、前記幅方向では前記第１側板部に近い位置で前記トレイの搬送方向に沿ってストライプ状に延在している態様を採用することができる。かかる態様によれば、幅方向においてストライプ状の磁気記録層が形成されている側を適正に位置合わせすることができる。従って、磁気ヘッドは、カードから情報を適正に読み取ることができる。
【００１６】
本発明において、前記カードは、前記一方面を前記トレイの底板部に向けた状態で前記トレイに収容され、前記底板部には、前記磁気記録層を露出させる開口部が設けられている態様を採用することができる。かかる態様によれば、カードがトレイに搭載されている場合でも、磁気情報を容易に読み出すことができる。
【００１７】
本発明において、前記装置本体は、前記トレイから前記カードを受け取って前記磁気ヘッドによって前記カードの前記磁気記録層から情報を読み出す位置まで前記カードを搬送するカード搬送機構を有している態様を採用してもよい。
【００１８】
本発明において、前記カードは、前記トレイに投入された状態で、前記装置本体の前記カード搬送機構による搬送方向の奥側に向かって前記トレイから突出している態様を採用することができる。かかる態様によれば、カード搬送機構は、トレイからカードを受け取りやすい。
【発明の効果】
【００１９】
本発明では、トレイ出入り口から突出したトレイにカードを投入し、この状態でトレイがトレイ出入り口から装置本体の内部に移動することにより、カードが装置本体の内部に投入される。従って、トレイ出入り口の周辺にスキミングヘッドを設けるには、トレイとの干渉を避ける必要があるので、スキミングヘッドを設けにくい。また、トレイ出入り口から外部に突出したトレイにカードを投入した際、磁気記録層のうち、データ記録領域の少なくとも一部がトレイ出入り口より装置本体の内側に位置するため、たとえ、トレイ出入り口の周辺にスキミングヘッドを設けた場合でも、スキミングヘッドは、一部の情報しか取得することができない。従って、情報の再現が困難であるので、妨害磁界等を用いなくても、カードから情報が不正に読み取られることを抑制することができる。
【図面の簡単な説明】
【００２０】
【図１】本発明の実施の形態１に係るカードリーダの一例を模式的に示す説明図である。
【図２】図１に示すカードリーダにおいてトレイが外側に突出した開位置にあるときの説明図である。
【図３】図２に示すトレイの平面構成を示す説明図である。
【図４】図２に示すカードの説明図である。
【図５】図１に示すカードリーダに設けた位置決め機構の説明図である。
【図６】図１に示すカードリーダの動作を示すフローチャートである。
【図７】本発明の実施の形態２に係るカードリーダの一例を模式的に示す説明図である。
【図８】図７に示すカードリーダにおいてトレイが外側に突出した開位置にあるときの説明図である。
【図９】図７に示すトレイの平面構成を示す説明図である。
【図１０】本発明の実施の形態３に係るカードリーダの一例を模式的に示す説明図である。
【図１１】図１０に示すトレイの平面構成を示す説明図である。
【発明を実施するための形態】
【００２１】
以下、図面を参照しながら、本発明の実施の形態を説明する。以下の説明において、互いに直交する３方向のうち、カードＣの幅方向にＸを付し、カードＣの厚さ方向（上下方向）にＹを付し、トレイ２の搬送方向にＺを付して説明する。また、カードＣの幅方向Ｘの一方側にＸ１を付し、他方側にＸ２を付し、上下方向Ｙの下方にＹ１を付し、上方にＹ２を付し、搬送方向Ｚにおいて、装置本体１０の奥側にＺ１を付し、外側にＺ２を付して説明する。
【００２２】
［実施の形態１］
（カードリーダ１の構成）
図１は、本発明の実施の形態１に係るカードリーダ１の一例を模式的に示す説明図である。図２は、図１に示すカードリーダ１においてトレイ２が外側Ｚ２に突出した開位置にあるときの説明図である。
【００２３】
図１および図２に示すカードリーダ１は、少なくとも一方面Ｃ１に情報が記録される磁気記録層Ｃ５が形成されたカードＣが投入されるトレイ２と、トレイ２が出入りするトレイ出入り口１１が設けられた装置本体１０とを有している。装置本体１０は、内部に磁気ヘッド６１を有しており、磁気ヘッド６１は、トレイ２に保持された状態で装置本体１０に投入されたカードＣの磁気記録層Ｃ５から少なくとも情報の読み取りを行う。本形態において、磁気ヘッド６１は、カードＣの磁気記録層Ｃ５から情報の読み取りおよび書き込みを行う。カードリーダ１は、装置本体１０の奥側Ｚ１にＩＣ接点６５を備えており、Ｉ
Ｃ接点６５によって、カードＣの一方面Ｃ１に形成されたＩＣチップＣ７からの情報の読み取りおよび書き込みを行う。
【００２４】
本形態において、カードＣは、トレイ２に搭載された状態で磁気ヘッド６１やＩＣ接点６５による情報の読み取りや書き込みが行われる。従って、装置本体１０は、磁気ヘッド６１やＩＣ接点６５によってカードＣから情報を読み出す位置までトレイ２を搬送するトレイ搬送機構７（矢印Ｑ１および矢印Ｑ２で示す）を有している。トレイ搬送機構７は、詳細な説明を省略するが、トレイガイドや搬送ローラ等を有しており、その駆動源は、装置本体の奥側に配置されたモータ７０である。本形態では、トレイ２がトレイ出入り口１１を塞いだ閉位置に戻るまでの間、磁気ヘッド６１がカードＣの一方面Ｃ１と摺動し、トレイ２がトレイ出入り口１１を塞いだ閉位置に戻った時点で、ＩＣ接点６５がＩＣチップＣ７の端子に当接する。本形態において、カードＣは、磁気記録層Ｃ５が形成された一方面Ｃ１を上向きにトレイ２に投入される。従って、磁気ヘッド６１およびＩＣ接点６５は、トレイ２の搬送経路の上方Ｙ２に配置されている。
【００２５】
装置本体１０は、内部にプリヘッド４１、シャッター４２、シャッター４２を駆動するシャッターソレノイド４３（シャッター用アクチュエータ）、異物センサ４４、４５、位置検出センサ４６、４７を有している。また、装置本体１０は、トレイ２にカードＣが有るか否かを検出するとともに、カードＣの端部を検出することによりカードＣの長さを検出するカードセンサ４８を有している。シャッター４２は、装置本体１０の奥側Ｚ１への異物の挿入を防止するためのものであり、トレイ２の搬送路を幅方向（Ｘ方向）の全体で遮断することができる。
【００２６】
（トレイ２の構成）
図３は、図２に示すトレイ２の平面構成を示す説明図であり、図３（ａ）、（ｂ）は、カードＣが投入される前のトレイ２の平面図、およびカードＣをトレイ２に投入した状態の平面図である。
【００２７】
図２および図３に示すように、磁気記録層Ｃ５は、搬送方向Ｚに沿ってストライプ状に延在する磁気ストライプＣ５０であり、磁気ストライプＣ５０は、カードＣの幅方向Ｘの中央より一方側Ｘ１に配置されている。カードＣは、例えば、厚さが０．７〜０．８ｍｍ程度の矩形状の塩化ビニール製カード、厚さが０．１８〜０．３６ｍｍ程度のＰＥＴ（ポリエチレンテレフタレート）製カード、あるいは紙製カードである。
【００２８】
トレイ２は、カードＣを下方Ｙ１から支持する底板部２１と、カードＣおよびトレイ２の搬送方向Ｚに対して直交する幅方向Ｘの一方側Ｘ１で底板部２１から上方Ｙ２に突出する第１側板部２２と、幅方向Ｘの他方側Ｘ２で底板部２１から上方Ｙ２に突出する第２側板部２３と、トレイ２の搬送方向Ｚのうち、トレイ２がトレイ出入り口１１から突き出す外側Ｚ２の端部で底板部２１から上方Ｙ２に突出する第３側板部２４（板部）とを有している。第１側板部２２、第２側板部２３および第３側板部２４は、カードＣの一方面Ｃ１より上方Ｙ２に突出している。第３側板部２４は、第１側板部２２および第２側板部２３より上方Ｙ２に突出している。従って、トレイ２の底板部２１、第１側板部２２、および第２側板部２３は、トレイ出入り口１１を通過可能であるが、トレイ２を装置本体１０の内側に引き込んだ際、第３側板部２４は、トレイ出入り口１１を通過せず、装置本体１０において、トレイ出入り口１１の上方Ｙ２に位置する壁面に当接する。底板部２１には、幅方向Ｘの中央に、搬送方向Ｚに沿って延在する開口部２１０が形成されている。従って、カードＣをトレイ２に投入する際、カードＣとともに硬貨等が誤って投入された際、硬貨等を開口部２１０から落下させることができる。
【００２９】
底板部２１には、カードＣの有無を検出するカード検出機構２５が設けられており、か
かるカード検出機構２５での検出結果は、装置本体１０に出力される。本形態において、カード検出機構２５は光センサ２５０からなる。光センサ２５０は、底板部２１の幅方向Ｘおよび搬送方向Ｚで離間する計４箇所に配置されており、カードＣの有無に加えて、カードＣの長さ、幅等を検出する。
【００３０】
図１に示すように、カードリーダ１には、トレイ２が取り外されたことを検出するトレイ検出機構１２が設けられている。本形態において、トレイ検出機構１２は、装置本体１０のトレイ出入り口１１付近に設けられたループバックコネクタ１２１、トレイ２の底板部２１の下面に設けられたループバックコネクタ１２２、およびループバックコネクタ１２１、１２２に接続されたループバックケーブル１２３からなる。従って、トレイ２が取り外されると、ループバックコネクタ１２１、あるいはループバックコネクタ１２２からループバックケーブル１２３で外れるので、トレイ２が取り外された際、それを検出することができる。また、ループバックコネクタ１２１、１２２、およびループバックケーブル１２３は、カード検出機構２５での検出結果を装置本体１０に出力する機能も担っている。
【００３１】
（磁気ストライプＣ５０の構成）
図４は、図２に示すカードＣの説明図である。図４に示すように、カードＣにおいて、磁気記録層Ｃ５（磁気ストライプＣ５０）は、搬送方向Ｚに延在しているが、かかる磁気記録層Ｃ５のうち、搬送方向Ｚの両端から離間した位置に、データが記録されるデータ記録領域Ｃ５１２が設けられている。より具体的には、磁気記録層Ｃ５には、データの開始を示すスタートコードが記録されたスタートコード領域（プリアンブル部）Ｃ５１１、データが記録されるデータ記録領域Ｃ５１２、およびデータの終わりを示すエンドコードが記録されたエンドコード領域（ポストアンブル部）Ｃ５１３等が順に設けられている。ここで、データ記録領域Ｃ５１２には、情報に対応する２値化信号（１，０）が記録されているのに対して、スタートコード領域Ｃ５１１は、２値化信号（１，０）の一方（例えば、０）が連続して記録されたプリアンブル部として構成され、エンドコード領域Ｃ５１３は、２値化信号（１，０）の一方（例えば、０）が連続して記録されたポストアンブル部として構成されている。
【００３２】
本形態では、図１に示すように、トレイ出入り口１１から外部に突出したトレイ２にカードＣを投入した際、磁気記録層Ｃ５のうち、スタートコード領域Ｃ５１１、およびデータ記録領域Ｃ５１２の少なくとも一部がトレイ出入り口１１（図４に一点鎖線で示す）より装置本体１０の内側に位置するようになっている。
【００３３】
（トレイ２上でのカードＣの位置決め機構８）
図５は、図１に示すカードリーダ１に設けた位置決め機構８の説明図である。図５に示すように、本形態のカードリーダ１においては、少なくとも磁気ヘッド６１が磁気記録層Ｃ５から情報を読み出す際に、カードＣの幅方向Ｘでの位置決めを行う位置決め機構８が構成されている。位置決め機構８を構成するにあたって、まず、トレイ２の第１側板部２２は、カードＣの幅方向Ｘの一方側Ｘ１に位置する第１側面Ｃ８が当接してカードＣの幅方向Ｘの位置を規定する位置決め部８９になっている。また、装置本体１０には、カードＣの幅方向Ｘの他方側Ｘ２に位置する第２側面Ｃ９を押圧して第１側面Ｃ８を第１側板部２２（位置決め部８９）に向けて弾性をもって押し付ける付勢機構８０が構成されている。
【００３４】
本形態において、付勢機構８０は、第２側板部２３を介してカードＣを第１側板部２２に向けて付勢する。より具体的には、トレイ２は、第１側板部２２および第３側板部２４が底板部２１に対して固定されているのに対して、第２側板部２３は、幅方向Ｘにスライド可能に底板部２１や第３側板部２４に対して支持されている。また、第２側板部２３は
、底板部２１や第３側板部２４に設けられたコイルバネ等のバネ（図示せず）によって、第１側板部２２から離間する方向（幅方向Ｘの他方側Ｘ２）に付勢されている。
【００３５】
本形態において、付勢機構８０は、トレイ２に対して幅方向Ｘの他方側Ｘ２で装置本体１０に支持された可動部材８１と、可動部材８１に対して幅方向Ｘの他方側Ｘ２に設けられたバネ８２とを有している。可動部材８１は、幅方向Ｘの一定の範囲を移動可能に装置本体１０に支持されており、バネ８２は、可動部材８１を幅方向Ｘの一方側Ｘ１に付勢して変位させる。従って、付勢機構８０は、第２側板部２３を介してカードＣを第１側板部２２に向けて付勢することができる。
【００３６】
本形態では、トレイ２が磁気ヘッド６１に接近した際、バネ８２によって付勢された可動部材８１は、トレイ２の第２側板部２３を幅方向Ｘの一方側Ｘ１に付勢する。従って、第２側板部２３は、カードＣの第２側面Ｃ９を第１側板部２２に向けて付勢するので、カードＣの第１側面Ｃ８が第１側板部２２に当接し、カードＣは、幅方向Ｘで位置決めされる。その結果、磁気ヘッド６１は、磁気ストライプＣ５０から情報の読み出し等を行うことができるとともに、ＩＣ接点６５は、ＩＣチップＣ７から情報の読み出し等を行うことができる。
【００３７】
また、トレイ２は、トレイ出入り口１１から外側Ｚ２に突出した際、第１側板部２２と第２側板部２３との間隔がカードＣの幅より広がるので、カードＣをトレイ２に投入するのが容易である。なお、トレイ２において、第１側板部２２と第２側板部２３との間隔を広げるための構成については、バネに代えて、カム等を用いてもよい。
【００３８】
（カードリーダ１の動作）
図６は、図１に示すカードリーダ１の動作を示すフローチャートである。本形態のカードリーダ１はマイクロコンピュータを有しており、ＲＯＭ等の記憶装置に格納されているプログラムに基づいて図６に示す動作を行う。
【００３９】
まず、ステップＳＴ０において動作を開始した後、ステップＳＴ１において、利用者がタッチパネルの操作によって取引内容を指定すると、ステップＳＴ２において、トレイ搬送機構７のモータ７０が回転し、トレイ２をトレイ出入り口１１から外側Ｚ２に突出させ、トレイ２が所定の位置に到達した時点で、シャッターソレノイド４３は、シャッター４２を閉状態とする。ステップＳＴ３において、利用者はカードＣをトレイ２に投入する。ステップＳＴ４において、一定時間内にトレイ２にカードＣが投入されたか否かを判断する。
【００４０】
ステップＳＴ５での判断において、カードＣが投入されていないと判断したときには、ステップＳＴ６で、シャッターソレノイド４３がシャッター４２を開状態にした後、トレイ搬送機構７のモータ７０が回転し、トレイ２をトレイ出入り口１１から内側（奥側Ｚ１）の所定位置に引き込んでトレイ出入り口１１を塞ぐ。そして、ステップＳＴ７において、操作をし直すようにアナウンスし、ステップＳＴ１７で動作を終了する。
【００４１】
これに対して、ステップＳＴ５での判断において、カードＣが投入されたと判断したときには、ステップＳＴ８において、シャッターソレノイド４３がシャッター４２を開状態にした後、トレイ搬送機構７のモータ７０が回転し、トレイ２をトレイ出入り口１１から内側（奥側Ｚ１）の所定位置に引き込む。そして、ステップＳＴ９においては、カード検出機構２５によってカードＣの向き等を確認するとともに、プリヘッド４１によってカードＣにデータがあるか否かを確認し、ステップＳＴ１０において、カードＣの向きやデータの有無等が適正か否かを判断する。
【００４２】
ステップＳＴ１０での判断において、カードＣが適正でないと判断したときには、ステップＳＴ１１において、カードＣを確認するようにアナウンスし、ステップＳＴ３に戻る。
【００４３】
ステップＳＴ１０での判断において、カードＣが適正であると判断したときには、ステップＳＴ１２において、トレイ搬送機構７のモータ７０がさらに回転し、トレイ２をトレイ出入り口１１から内側（奥側Ｚ１）の所定位置に引き込んでトレイ出入り口１１を塞ぐ。その際、磁気ヘッド６１およびＩＣ接点６５により情報の読み取り等を行い、ステップＳＴ１３において、指定された取引を処理する。取引の処理が終了すると、ステップＳＴ１４において、トレイ搬送機構７のモータ７０を回転させ、トレイ２をトレイ出入り口１１から外側Ｚ２の所定位置まで突出させた後、シャッターソレノイド４３がシャッター４２を閉状態とする。そして、ステップＳＴ１５において、一定時間内にカードＣがトレイ２から取り出されたか否かを判断する。
【００４４】
ステップＳＴ１５での判断において、カードＣが取り出されたと判断したときには、ステップＳＴ１６において、シャッターソレノイド４３がシャッター４２を開状態とした後、トレイ２をトレイ出入り口１１から内側の所定位置に引き込み、ステップＳＴ１７で動作を終了する。
【００４５】
ステップＳＴ１５での判断において、カードＣが取り出されていないと判断したときには、ステップＳＴ１８において、シャッターソレノイド４３がシャッター４２を開状態とした後、トレイ２をトレイ出入り口１１から内側の所定位置まで引き込み、ステップＳＴ１９において、カードＣを回収ボックスに回収する。そして、ステップＳＴ１７で動作を終了する。
【００４６】
（本形態の主な効果）
以上説明したように、本形態のカードリーダ１では、トレイ出入り口１１から突出したトレイ２にカードＣを搭載し、この状態でトレイ２がトレイ出入り口１１から装置本体１０の内部に移動することにより、カードＣが装置本体の内部に投入される。従って、トレイ出入り口１１の周辺にスキミングヘッドを設けるには、トレイ２との干渉を避ける必要があるので、スキミングヘッドを設けにくい。また、本形態では、トレイ出入り口１１から外部に突出したトレイ２にカードＣを投入した際、磁気記録層Ｃ５（磁気ストライプ５１）のうち、データ記録領域Ｃ５１２の少なくとも一部がトレイ出入り口１１より装置本体１０の内側に位置する。このため、たとえ、トレイ出入り口１１の周辺にスキミングヘッドを設けた場合でも、スキミングヘッドは、一部の情報しか取得することができないので、情報の再現が困難である。それ故、カードＣから重要な情報が不正に読み取られることを抑制することができる。
【００４７】
また、トレイ２は、トレイ出入り口１１から外側Ｚ２への突出方向における端部に、カードＣの一方面Ｃ１より突出した第３側板部２４を備えているため、トレイ出入り口１１の周辺では、カードＣの一方面Ｃ１の側にスキミングヘッドを設けると、スキミングヘッドとトレイ２とが干渉する。従って、スキミングヘッドを設けにくいので、カードＣから重要な情報が不正に読み取られることを抑制することができる。
【００４８】
また、トレイ２が取り外されたことを検出するトレイ検出機構１２が設けられているため、不正を行おうとする者によって、スキミングヘッドを設けた偽のトレイに交換されようとした場合でも、かかる行為を監視することができる。また、トレイ２は、カードＣの有無を検出するカード検出機構２５を有しているため、トレイ２にカードＣが投入されたか否か等を監視することができる。
【００４９】
また、トレイ２に保持されたカードＣの幅方向Ｘの位置を規定する位置決め機構８が設けられているため、カードＣを幅方向Ｘの所定位置に配置することができる。従って、磁気ヘッド６１やＩＣ接点６５は、カードＣから情報を適正に読み取ることができる。また、磁気記録層Ｃ５（磁気ストライプ５１）は、幅方向Ｘでは第１側板部２２（位置決め部８９）に近い位置に設けられている。従って、磁気記録層Ｃ５が形成されている側を適正に位置合わせすることができるので、磁気ヘッド６１は、カードＣから情報を適正に読み取ることができる。
【００５０】
［実施の形態２］
図７は、本発明の実施の形態２に係るカードリーダ１の一例を模式的に示す説明図である。図８は、図７に示すカードリーダ１においてトレイ２が外側Ｚ２に突出した開位置にあるときの説明図である。図９は、図７に示すトレイ２の平面構成を示す説明図であり、図９（ａ）、（ｂ）は、カードＣが投入される前のトレイ２の平面図、およびカードＣをトレイ２に投入した状態の平面図である。なお、本形態の基本的な構成は、実施の形態１と同様であるため、共通する部分には同一の符号を付してそれらの説明を省略する。
【００５１】
実施の形態１では、磁気記録層Ｃ５が形成されている一方面Ｃ１を上方Ｙ２に向けてカードＣをトレイ２に投入したが、本形態では、図７、図８および図９に示すように、磁気記録層Ｃ５が形成されている一方面Ｃ１を下方Ｙ１に向けてカードＣがトレイ２に投入される。このため、図７に示すように、装置本体１０では、カードＣの搬送経路の下方Ｙ１に磁気ヘッド６２が配置されている。
【００５２】
この場合でも、底板部２１には、幅方向Ｘの中央に、搬送方向Ｚに沿って延在する開口部２１０が形成されており、カードＣを底板部２１に搭載した際、開口部２１０は、磁気ストライプＣ５０（磁気記録層Ｃ５）と重なる。従って、カードＣをトレイ２に搭載した状態で磁気ヘッド６２によってカードＣから情報の読み取りおよび書き込みが可能である。
【００５３】
また、本形態のトレイ２では、第３側板部２４の突出寸法は第１側板部２２および第２側板部２３と同じであるが、トレイ２には、トレイ２をトレイ出入り口１１から突き出す外側Ｚ２の端部で底板部２１から下方Ｙ１に突出する板部２７が形成されている。このため、トレイ出入り口１１の周辺には、カードＣの一方面Ｃ１の側にスキミングヘッドを設けにくい。それ故、カードＣから重要な情報が不正に読み取られることを抑制することができる。
【００５４】
［実施の形態３］
図１０は、本発明の実施の形態３に係るカードリーダ１の一例を模式的に示す説明図である。図１１は、図１０に示すトレイ２の平面構成を示す説明図であり、図１１（ａ）、（ｂ）は、カードＣが投入される前のトレイ２の平面図、およびカードＣをトレイ２に投入した状態の平面図である。なお、本形態の基本的な構成は、実施の形態１と同様であるため、共通する部分には同一の符号を付してそれらの説明を省略する。
【００５５】
実施の形態１、２においては、カードＣは、磁気ヘッド６１やＩＣ接点６５によってカードＣから情報を読み出す位置までトレイ２に保持されていたが、本形態において、カードＣは、一部がトレイ２とともに装置本体１０の内部まで引き込まれた後、トレイ２から離れて磁気ヘッド６１やＩＣ接点６５によってカードＣから情報を読み出す位置まで移動する。このため、図１０に示す本形態のカードリーダ１において、トレイ搬送機構７（矢印Ｑ１および矢印Ｑ２で示す）は、トレイ２をトレイ出入り口１１から外側Ｚ２に突出した位置とトレイ出入り口１１から内側に引っ込むまでの途中位置との間で移動させる。従って、装置本体１０には、トレイ出入り口１１から奥側Ｚ１の途中位置でトレイ２からカ
ードＣを受け取って磁気ヘッド６１やＩＣ接点６５によってカードＣから情報を読み出す位置までカードＣを搬送するカード搬送機構９（矢印Ｐ１および矢印Ｐ２で示す）が設けられている。カード搬送機構９は、磁気ヘッド６１やＩＣ接点６５によってカードＣから情報を読み出した後、カードＣをトレイ２に戻す動作も行う。
【００５６】
カード搬送機構９は、詳細な説明を省略するが、カードガイドや搬送ローラ等を有しており、その駆動源は、装置本体１０の奥側Ｚ１に配置されたモータ７０である。また、装置本体１０には、搬送されるカードＣを幅方向Ｘの一方側Ｘ１に向けて付勢して、カードＣの幅方向Ｘの位置を合わせる位置決め機構が設けられる。トレイ搬送機構７の駆動源については、モータ７０を利用してもよいし、モータ７０とは別のモータ（図示せず）を用いてもよい。
【００５７】
このような構成でも、図１１に示すように、カードＣは、トレイ２の端部から装置本体１０の奥側Ｚ１に向けて突出している。このため、カード搬送機構９は、トレイ２に支持されたカードＣを上下方向Ｙの両側からローラ９１等によってカードＣを挟むことができる。このため、カード搬送機構９は、トレイ２との間でカードＣを容易に受け渡すことができる。
【００５８】
（他の実施の形態）
上述した形態は、本発明の好適な形態の一例ではあるが、これに限定されるものではなく本発明の要旨を変更しない範囲において種々変形実施が可能である。
【００５９】
例えば、実施の形態１と実施の形態２とを組み合わせてもよい。この場合、磁気記録層Ｃ５が形成されている一方面Ｃ１を上方Ｙ２のいずれに向けてカードＣをトレイ２に投入した場合でもカードＣの処理が可能となる。
【００６０】
上記実施の形態では、カード検出機構２５として光センサ２５０を用いたが、ＩＣチップＣ７が下方Ｙ１に向くようにカードＣが投入された際に、ＩＣチップＣ７の端子と接触する端子をカード検出機構２５としてトレイ２に設けてもよい。
【符号の説明】
【００６１】
１…カードリーダ、２…トレイ、７…トレイ搬送機構、８…位置決め機構、９…カード搬送機構、１０…装置本体、１１…トレイ出入り口、１２…トレイ検出機構、２１…底板部、２２…第１側板部、２３…第２側板部、２４…第３側板部（板部）、２５…カード検出機構、２７…板部、４２…シャッター、４３…シャッターソレノイド（シャッター用アクチュエータ）、６１、６２…磁気ヘッド、６５…ＩＣ接点、７０…モータ、８０…付勢機構、８１…可動部材、８２…バネ、８９…位置決め部、９１…ローラ、１２１、１２２…ループバックコネクタ、１２３…ループバックケーブル、２１０…開口部、２５０…光センサ、Ｃ…カード、Ｃ１…一方面、Ｃ５…磁気記録層、Ｃ５０…磁気ストライプ、Ｃ７…ＩＣチップ、Ｃ８…第１側面、Ｃ９…第２側面、Ｃ５１２…データ記録領域、Ｘ…幅方向、Ｙ…上下方向、Ｚ…搬送方向
【図１】
2018073018.tif 000003
【図２】
2018073018.tif 000004
【図３】
2018073018.tif 000005
【図４】
2018073018.tif 000006
【図５】
2018073018.tif 000007
【図６】
2018073018.tif 000008
【図７】
2018073018.tif 000009
【図８】
2018073018.tif 000010
【図９】
2018073018.tif 000011
【図１０】
2018073018.tif 000012
【図１１】
2018073018.tif 000013